Podtech/llm-jp-corpus-v4-ja_patent huggingface dataset:
(57)【要約】【課題】液体用容器の中の残留量が少ない場合に、送液ポンプで送液する事は容易でなかった。また液体用容器は積み重ねると不安定で崩れる恐れがあった。積み重ねた状態で蓋を開ける事はできなかった。  本発明は、残留量が少ない場合でも送液ポンプで容易に送液でき、安定して積み重ねる事ができ、積み重ねた状態でも蓋を開けられ送液ポンプのパイプを入れ送液可能な、勾配と凹み付き液体用容器を提供する。【解決手段】  上記の欠点をなくすために液体用容器の底部に凹みを設け、その凹みに向かう勾配を有する底面を設け、その凹みは送液ポンプのパイプ先端を入れる部分とし、また液体用容器の脚部嵌合接面と上部嵌合接面を設けスタッキング機能を与え、また脚部の一部に切り欠きを設けたことを特徴とする、勾配と凹み付き液体用容器。【選択図】図１
2014061939.tif 000002
【特許請求の範囲】
【請求項１】
底部に凹みと凹みに向かう勾配を設けたことを特徴とする勾配と凹み付き液体用容器
【請求項２】
スタッキング機能を設けたことを特徴とする請求項１記載の勾配と凹み付き液体用容器
【請求項３】
スタッキング機能の嵌合部分の脚部嵌合接面の一部に切り欠きを設けた事を特徴とする請求項１または請求項２記載の勾配と凹み付き液体用容器
【発明の詳細な説明】
【技術分野】
【０００１】本発明は液体を貯蔵するための、勾配と凹み付き液体用容器の形状に関するものである。
【背景技術】
【０００２】従来、液体用容器の底面の形状は平坦であったり、凹みやそれに向かう勾配はなかった。
また液体用容器を積み重ねる際、嵌合面がなくスタッキング機能を有していなかった。
【先行技術文献】
【特許文献】
【０００３】
【特許文献１】特許公開平９−５８６８５号公報
【特許文献２】特許公開平９−３０５２９号公報
【特許文献３】実用新案公開平６−８１９１９号公報
【発明の概要】
【発明が解決しようとする課題】
【０００４】  これは、次のような欠点があった。
液体用容器の液体を送液ポンプで送り出す際、液体用容器の残留量が少なくなると送液ポンプのパイプの先端に空気が入り、吸い上げづらく送液するのが困難であった。また液体用容器を安定状態で積み重ねる事はできなかった。また積み重ねた状態で蓋を開け送液ポンプの先端を入れ使用することもできなかった。本発明は以上のような欠点をなくすためになされるものである。
【課題を解決するための手段】
【０００５】  上記の欠点をなくすために液体用容器の底面に凹みを設け、その凹みに向かう勾配を有する底面を設ける。その凹みは送液ポンプのパイプ先端を入れる部分とする。また液体用容器の脚部嵌合接面と上部嵌合接面を設け嵌合させる事でスタッキング機能を与える。また脚部の一部に切り欠きを設ける。
本発明は、以上の構成よりなる勾配と凹み付き液体用容器である。
【発明の効果】
【０００６】  その結果、次の効果が生じる。
液体用容器の中の液体量が少なくなっても、勾配を有する底面により液体が凹みに集まり溜まるので、送液ポンプのパイプ先端が液体に浸った状態を保持でき、空気の混入を防ぎ液体を吸い上げ易い。脚部嵌合接面と上部嵌合接面を設け嵌合させる事でスタッキング機能を有し液体用容器を安定状態で積み重ねる事ができる。切り欠きを脚部嵌合接面に設ける事で液体容器を積み重ねた状態においても、蓋を開けることができ、送液ポンプのパイプを入れ、送液する事ができる。
【図面の簡単な説明】
【０００７】
【図１】斜視図
【図２】正面図
【図３】側面図
【図４】水平方向断面図
【図５】積み重ねる前の垂直方向断面図
【図６】積み重ねた時の垂直方向断面図
【発明を実施するための形態】
【０００８】  以下、本発明を実施するための最良の形態について説明する。
使用分野としては灯油用容器や水道整備のなされていない地域などにおける生活用水の為の容器などが考えられる。
請求項１について説明する。液体用容器の底に凹み（１）を設ける。容器内の液体残留量が少なくなっても凹み（１）に集まるように、凹み（１）に向かう勾配を有する底面（２）を設ける。
この凹み（１）の形状はすり鉢状、直方体状、円錐状、四角錐状などであり、勾配を有する底面（２）より低い位置に設ける。その凹み（１）に送液ポンプのパイプ先端を入れる事でパイプ先端は液体に十分に浸かり空気の混入を防ぎ、液体を吸い上げ易い状態となる。またこの凹み（１）に送液ポンプのパイプ先端を入れることでパイプ先端は平面的に拘束され、パイプ先端が横ずれするのを防ぐという機能も有する。凹み（１）の位置は容器底面の中心より開口部（３）の真下に近い位置にすることで、送液ポンプのパイプ先端が容易に安定して凹み（１）に入るようにする。本発明の請求項１は、以上のような構造である。
これを使用するときは、送液ポンプのパイプ先端を凹み（１）に入れて送液を行う。残留量が少なくなっても、勾配を有する底面（２）により、凹み（１）に液体が集まり、送液ポンプのパイプ先端が液体に浸った状態なので液体を吸い上げ易い。
【０００９】  さらに請求項２について説明する。液体用容器の底に凹み（１）を製品の形状として設ける際、下部の脚部が必要となる。その形状を生かし容器を積み重ねた際に嵌合する様に液体用容器の脚部を脚部嵌合接面（４）とし液体用容器上部に上部嵌合接面（５）を設け、上下の液体用容器が垂直面と水平面とで接する面を容器の四周において設ける。この形状により嵌合状態を形成する。本発明の請求項２は以上のような構造である。
この構造により、液体用容器を上下に積み重ねる使用形態において嵌合状態を形成し、お互いに崩れにくいスタッキング機能をこの液体用容器に与える。
【００１０】  さらに請求項３について説明する。脚部嵌合接面（４）に切り欠き（７）を設ける。その位置は開口部（３）の直下とする。本発明の請求項３は以上のような構造である。
この構造により、液体用容器を上下に積み重ねる使用形態においても、切り欠き（７）からこれを使用する人の手などによって容易に蓋（６）を開ける事ができ開口部（３）から送液ポンプのパイプを入れる事ができる。よって、液体用容器が上下に積み重なったままで送液を行うという使用形態を可能とする。
【符号の説明】
【００１１】１  凹み
２  勾配を有する底面
３  開口部
４  脚部嵌合接面
５  上部嵌合接面
６  蓋
７  切り欠き
【図１】
2014061939.tif 000003
【図２】
2014061939.tif 000004
【図３】
2014061939.tif 000005
【図４】
2014061939.tif 000006
【図５】
2014061939.tif 000007
【図６】
2014061939.tif 000008
(57)【要約】      （修正有）【課題】弱者の人達を素早く安全に避難をさせる事が出来、なお、逃げ遅れた人、流されている人を一人でも多く救助することのできる津波高潮避難用浮台船を提供する【解決手段】津波高潮避難用浮台船１を支えるパイル３を地中に埋め、パイルの中に支柱４（スライド管）を入れ、支柱（スライド管）の先端と避難用浮台船を接続するが、水の高低対策は支柱（スライド管）が上下運動をするため津波高潮避難用浮台船を安全に耐用出来る。【選択図】図１
2014061812.tif 000002
【特許請求の範囲】
【請求項１】
パイルの中に支柱（スライド管）を入れ、支柱（スライド管）の先端と避難用浮台船を
接続することで、水の満ち引きに柔軟に耐用することを特徴とした津波高潮避難用浮台船。
【発明の詳細な説明】
【技術分野】
【０００１】
本発明は、通常はベンチであるが、水に浸かると浮上し緊急避難場所となる、津波高  
避難用浮台船に関するものである。
【背景技術】
【０００２】
従来の津波高潮避難場所としては、定められた避難場所は近くの高い建物、小高い丘、
山、弱者にとってはどれも難点である。
【発明の概要】
【発明が解決しようとする課題】
【０００３】
従来の津波高潮避難場所には、次のような難点がある。
（イ）車イス障害者、子供、妊婦、高齢者、寝たきりの方々である弱者の人逹は避難場所
までの距離が遠すぎる。
（ロ）震災のために停電等で、近くの高い建物等のエレベ―タ―が作動しない場合もあり
弱者の人逹は階段を昇降しなければならず逃げ遅れる。
（ハ）避難場所には救命具等も無く、逃げ遅れている人や流されている人を救助する事も
出来ない。
本発明は、以上の問題点を解決しょうとするものである。
【課題を解決するための手段】
【０００４】
津波高潮避難用浮台船を支えるパイルを地中に埋め、パイルの中に支柱（スライド管）
を入れ、支柱（スライド管）の先端と避難浮台船を接続する。
【０００５】
また、水の高低対策には支柱（スライド管）が上下運動するため避難用浮台船も同様に
動く構造になっている。
以上の構成よりなる津波高潮避難用浮台船である。
【発明の効果】
【０００６】
本浮台船を近隣に設置することで、弱者の人達を素早く安全に避難させることができる
。
【０００７】
また、逃げ遅れた人の保護、流されている人を一人でも多く救助することができる。
【０００８】
なお、通常は公園等のベンチとしての使用もできるため一石二鳥のこうかがある。
【０００９】
上記のように一人でも多くの人を避難、救助、保護と利用価値を有する物である。
【図面の簡単な説明】
【００１０】
【図１】本発明の実施形態を示す津波高潮避難用浮台船の断面図
【図２】同避難用浮台船が水に浮いた状態の断面図
【図３】同避難用浮台船を上から見た平面図（Ａ−Ａ断面）
【図４】パイルの図２におけるＢ−Ｂ線断面図
【発明を実施するための形態】
【００１１】
以下、本発明の実施の形態を図１〜図２に基づいて説明する。
【００１２】
図においては、パイル（３）を地中に埋め、パイル（３）の中に支柱（スライド管）（
４）を入れ、この支柱（スライド管）（４）の先端と避難用浮台船（１）を接続する。
【００１３】
なお、救助用器具等は安全ポ―ル（５）兼、救助器具庫に保管。
【００１４】
以上のように、本実施形態により素早く安全な避難が得られる。
【符号の説明】
【００１５】
１  避難用浮台船  
３  パイル
４  支柱（スライド管）  
５  安全ポ―ル兼救助器具庫
６  安全手摺
７  固定椅子
１１  支柱（スライド管）ストッパ―止め
１２  支柱（スライド管）ストッパ―
【図１】
2014061812.tif 000003
【図２】
2014061812.tif 000004
【図３】
2014061812.tif 000005
【図４】
2014061812.tif 000006
(57)【要約】【課題】自転車等のかごに入れた荷物を落下や引ったくりから守るには紐やゴム等で固定しなければならず、そのためにはかごに合った大きさや長さの紐やシートを選ぶ必要がある。  本発明はほとんどのかごに最適に使用でき、簡単に脱着できる自転車等の荷かご用紐を提供する。【解決手段】伸縮性のある２本の紐の両端を固定し、その両端にそれぞれ係止部を設ける。  それぞれの紐には１つ以上の移動可能な係止部を設け、それぞれの係止部の先に反りを設けることを特徴とする自転車等の荷かご用紐。【選択図】図１
2014061861.tif 000002
【特許請求の範囲】
【請求項１】
伸縮性のある紐を環状体とし、対称となる位置に係止部を設け、それぞれの係止部の間に１つ又は複数の移動可能な係止部を設けたことを特徴とした自転車等の荷かご用紐。
【請求項２】
伸縮性のある紐を環状体とし、すべて移動可能な係止部を４つ以上設けたことを特徴とした自転車等の荷かご用紐。
【請求項３】
それぞれの係止部の先端に外向きの反りを付けたことを特徴とした請求項１及び請求項２記載の自転車等の荷かご用紐。
【発明の詳細な説明】
【技術分野】
【０００１】  本発明は、自転車や自動二輪車の荷物かご又は手持ちの荷物かごに使用し、荷物の落下防止及びひったくり防止に有効な自転車等の荷かご用紐に関するものである。
【背景技術】
【０００２】  従来の自転車や自動二輪車の荷かご、又は手持ちのかごは荷物を入れたとき、シート状の布やビニールを掛けたり網を掛けたりして落下防止や盗難防止を行っている。
【先行技術文献】
【特許文献】
【０００３】
【特許文献１】特開平０９−０１１９５０号公報
【特許文献２】特開平０８−２８２５６３号公報
【発明の概要】
【発明が解決しようとする課題】
【０００４】  自転車や自動二輪車の荷かごや手持ちのかごに荷物を入れた場合、シート状の布やビニールを掛けたり網を掛けたりして、落下防止やひったくり及び盗難防止としているが、このシートや網は取り付けに制約がある。つまり荷かごの大きさによってシートを選んだり、網の大きさを変えなければならない。又、紐を掛ける場合にも手間と時間がかかる。本発明は以上の問題点を解決するものである。
【課題を解決するための手段】
【０００５】  伸縮性のある紐を２本平行に設置し、その両端にそれぞれかごに掛けるための係止部を設け、又それぞれの紐に移動可能な係止部を一つ以上設け、係止部の先に反りを設ける。
以上の構成よりなる自転車等の荷かご用紐である。
【発明の効果】
【０００６】  従来であれば自転車や自動二輪車の荷かごや手持ちのかごの中の荷物を固定したり、引ったくりや盗難を防止するには、かごのサイズや形により長さの違うゴムひもやベルト等を選定しなければいけなかったが、本発明による荷かご用紐を使用することで網目状のかごでも格子状のかごでも形や大きさを気にすることなく、ほとんどのかごに使用できる。又使用しない時にもそのままつけたままにもでき、簡単に脱着もできる。
【図面の簡単な説明】
【０００７】
【図１】本発明の斜視図
【図２】本発明の紐の両端に使用する係止部の斜視図
【図３】本発明の紐に通して移動可能にした係止部の斜視図
【図４】本発明の紐をかごに取り付けた状態を示した図
【図５】本発明の紐を３カ所で固定して使用した状態を示した図
【図６】本発明の紐を４カ所で固定して使用した状態を示した図
【図７】係止部の応用形を示した図
【図８】本発明の紐にすべて移動可能な係止部を設けた状態の斜視図
【発明を実施するための形態】
【０００８】  以下本発明の実施の形態を説明する。
伸縮性のある紐（１）の両端を結束しまとめ図１で示す環状体とし、又は１本の紐（１）の両はしを結束しまとめ図８で示す環状体とし、係止部（２）を紐の対称の位置に固定し設け、それぞれの紐（１）には自由に移動可能な係止部（３）を設ける。ここで示す係止部とはフックやナスカン、カラビナ等を示す。係止部（３）はリング状結合部（４）で紐と連結している。
【０００９】  また図８に示すように紐（１）を環状体とした後、係止部をすべて移動可能な係止部（３）をリング状結合部（４）で紐と連結する事も可能である。その場合、４個以上の係止部（３）を設けることで発明の効果を同等とすることができる。
【００１０】  なお２本の紐（１）のそれぞれの長さは荷かごの枠が４辺あるうち、最も長い１辺の長さより短くする。それにより本発明品を荷かごに設置した時、紐（１）の張力によって荷かごから脱落することなく使用することができる。
【００１１】  また図２，図３で示す通り係止部（２）及び係止部（３）の先端に反りを持たせることで、目の細かいかごにも対応できる。図７は係止部の変形例及び応用形であり、図のようなスプリング付きフックや、ナスカンやカラビナ状のものでも可能である。又係止部（２）の先端部（６）及び係止部（３）の先端部（７）は自由に回転させることも可能である。
本発明は以上のような構造である。
【００１２】  本発明を使用するときは、図４のとおり係止部（２）をかご（５）の縦状にある枠体に引っかけて本体である紐（１）を固定する。このとき、図４では枠体の上部に設置しているが、上部から下部まで任意の位置で設置することができる。
【００１３】  その後、移動可能な方の係止部（３）をかご（５）の相対する枠体に引っかけて固定する。これは図５のように三点止めでも、図６のように４点止めでも可能である。この場合でも、枠体の上部から下部まで任意に止めることが可能である。
また移動可能な係止部（３）を２個以上、紐（１）に設置することでジグザグ状に紐（１）を固定することも可能である。
【符号の説明】
【００１４】１  紐、２  係止部、３  係止部、４  リング状結合部、５  かご、６  係止部先端部、７  係止部先端部
【図１】
2014061861.tif 000003
【図２】
2014061861.tif 000004
【図３】
2014061861.tif 000005
【図４】
2014061861.tif 000006
【図５】
2014061861.tif 000007
【図６】
2014061861.tif 000008
【図７】
2014061861.tif 000009
【図８】
2014061861.tif 000010
(57)【要約】【課題】  本発明は少量ずつ適量の液体化粧料を使いやすい構造で提供することを目的とした液体化粧料の充填構造からなる容器とその使用方法を提供する。【解決手段】  容器本体（１）の中に化粧料をしみこませるための一個体または複数の吸液材（３）を詰めて液体化粧料を充填して被材シート（２）を被せてくるんで被材シート（２）の端を容器本体底部内面（５）に接着して内容物を固定、安定させた液体化粧料の充填構造とその使用方法及び円型、楕円型、三角型、四角型、多角型とそれらの変型による本体容器の形状。【選択図】図１
2014061244.tif 000002
【特許請求の範囲】
【請求項１】
液体化粧料（４）を一個体または複数の吸液材（３）に吸液させた液体化粧料の充填構造と使用方法。
【請求項２】
液体化粧料（４）を一個体または複数の吸液材（３）に吸液させて被材シート（２）を被せてくるんで固定、安定させた液体化粧料の充填構造とその使用方法。
【請求項３】
液体化粧料（４）を一個体または複数の吸液材（３）に吸液させて被材シート（２）を被せてくるんで固定、安定させた液体化粧料の充填構造からなる容器本体の平面図が円型、楕円型、三角型、四角型、多角型とそれらの変型からなる容器本体の形状とその使用方法。
【発明の詳細な説明】
【技術分野】
【０００１】  本発明は容器本体（１）の中に一個体または複数の吸液材（３）を詰めて液体化粧料を充填して外側に被材シート（２）を被せてくるんで被材シート（２）の端を容器本体の平面図が円型、楕円型、三角型、四角形、多角型とその変型を含む容器本体底部内面（５）に接着して内容物を固定、安定させた液体化粧料の充填構造からなる容器本体の形状とその使用方法に関するものである。
【背景技術】
【０００２】  従来、化粧瓶やポンプ式ボトル、サンプル用分包があった。
【先行技術文献】
【特許文献】
【０００３】
【特許文献１】  特開１１−３１８７３０号公報
【発明の概要】
【発明が解決しようとする課題】
【０００４】  そのため、次のような問題点があった。
（イ）掌やコットンに適量を取り出すのが難しかった。
（ロ）ポンプ式ボトルの場合はポンプを押すと飛び散ることがあった。
（ハ）化粧料の量が少なければ肌をまんべんなく潤せず量が多いと無駄になった。
本発明は、これらの問題点を解決するためになされたものである。
【課題を解決するための手段】
【０００５】  本体容器（１）の中に一個体または複数の吸液材（３）を詰めて液体化粧料を充填して外側に被材シート（２）を被せてくるんで被材シート（２）の端を容器本体の平面図が円型、楕円型、三角型、四角型、多角型とそれらの変型からなる容器本体底部内面（５）に接着して内容物を固定、安定させるよう構成した。
以上のように構成された液体化粧料の充填構造からなる容器本体の形状とその使用方法である。
【発明の効果】
【０００６】  小量ずつ化粧料を取ることで何度でも適量を肌に塗ることができるので使いやすい。
手に多量に出ることがないので、化粧料を無駄に使用することがない。
容器が小型・軽量化されるから携帯小瓶への入れ替えなく出張などにそのまま携帯できて使いやすい。
【図面の簡単な説明】
【０００７】
【図１】  本発明の断面図である。
【図２】  本発明の平面図である。
【図３】  本発明の使用図である。
【図４】  本発明の容器本体平面図の形状例である。
【発明を実施するための形態】
【０００８】  以下、本発明の実施の形態について説明する。
容器本体（１）の中に一個体または複数の吸液材（３）を詰めて液体化粧料を充填して外側に被材シート（２）を被せてくるんで被材シート（２）の端を容器本体の平面図が円型、楕円型、三角型、四角型、多角型とそれらの変型を含む容器本体底部内面（５）に接着して内容物を固定、安定させた液体化粧料の充填構造からなる容器本体の形状とその使用方法。
本発明を使用するときは、容器本体の蓋を開けて被材シート（２）の上を指（中指か薬指がよい）で軽く押して滲み出てきた化粧料（４）を指で顔やくびや体の肌に塗る。
【符号の説明】
【０００９】１  容器本体
２  被材シート
３  吸液材
４  液体化粧料
５  容器本体の底部内面
６  容器本体の蓋
７  使用者の指
【図１】
2014061244.tif 000003
【図２】
2014061244.tif 000004
【図３】
2014061244.tif 000005
【図４】
2014061244.tif 000006
(57)【要約】      （修正有）【課題】ケーキは上部にフルーツ、チョコレート類をのせているため、頭でっかちなのでケーキサーバー等にのせた時に倒れたり、落としたりする事と現在あるトングは、滑り止めがないのとケーキの幅の大きさの使用範囲が狭いので、掴み部の幅の種類が３種類くらいが必要である問題が解消できて、ケーキを冊等に確実に入れる事ができるケーキ用トングを提供する。【解決手段】トングの材質はステンレス系、樹脂系製で先端部に掴み部、突起２、溝３、Ｒ部４、中間に中間部５、、後部に取っ手、バネ部を設け、ケーキ８の大きさ、形状が変化しても、トングのケーキ８を掴む幅を変え、掴む位置をケーキ８の重心に先端部を当てて、ソフトで確実に掴んで皿等に１丁のトングで移すケーキ用トング。【選択図】図４
2014061247.tif 000002
【特許請求の範囲】
【請求項１】
ケーキ用トングの材質は、弾力性があり、錆びないステンレス系、樹脂系製で三角形、長方形、丸形のケーキを皿に移す時、先端部でケーキを掴むときに倒したり、落としたり、形くずれもなく、掴めるように掴み部に高さ２ミリの突起と溝、ケーキの大小、種類を問わず掴む事ができる、ケーキ掴み部の突起、溝、外側に開くＲ部、ケーキを取りやすくするために３０度曲がっている先端部、長くて持ちやすい取っ手、軽い力で開閉できるバネ部を設け、ケーキ用トング掴み部の掴む幅を変え、掴む位置をケーキの重心に当てて使用する事により、ケーキは三角形で１１センチ、長方形、丸形で２センチから７センチまでの幅のケーキをソフトにしつかり掴んで１丁のトングで皿等に移す事を特徴とするケーキ用トングである。
【発明の詳細な説明】
【技術分野】
【０００１】  本発明は、本体に掴み部、突起、溝、中間部、取っ手、バネ部がついたケーキ用トングに関するものである。
【背景技術】
【０００２】  従来、丸形ケーキを三角状に切ったケーキ、市販されている三角形、丸形、長方形のケーキをヘラ状の上にのせて移すケーキサーバーと掴み部が平形、縦に波形になっているトングがあった。
【発明の開示】
【発明が解決しようとする課題】
【０００３】  そのために次のような問題があった。（イ）ケーキは上部にフルーツ、チョコレート類を沢山のせてあり、頭でっかちになっていて安定性が悪いのでケーキサーバーにのせて移す時にケーキを倒したり、落とす事多い。（ロ）掴み部が平形、波形等のトングはケーキの滑りを止めるストツパーがないため、滑って落としてしまう。（ハ）平形、波形等のトングは掴み部の使用範囲が狭いので市販されているショートケーキの幅と、丸形の大型ケーキを切って三角形の幅の大きいケーキに使用するには、掴み部の幅が３種類くらいのトングが必要であった。  本発明は、これらの問題を解決するためになされたものである。
【課題を解決する手段】
【０００４】  ケーキ用トングの材質は、弾力性があり、さびない、ステンレス、ステンレススチール、プラスチツク、樹脂製で三角形、長方形、丸形ケーキを皿に移す時、先端部にケーキを掴むときに倒したり、滑って落としたり、形くずれ等を減少させる事とソフトでしつかり掴めるために長さ５センチ、幅４、５センチの掴み部に前部、右側部、左側部に高さ２センチの突起、溝、ケーキの大きさ、形状の変化に対応するために掴み部の裏側の外側に開くＲ部、取りやすくするために３０度曲げた先端部、トングの開く最大幅１１センチを保持する中間部、長くて持ちやすい取っ手、弾力性があり軽い力でトングの開閉ができて終了すれば、元の幅に戻るバネ部を設けて、トング先端部の掴み部で三角形、長方形、丸形ケーキの幅と三角形ケーキの角度が変化してもトングの掴み部の掴む幅と掴み部の位置を変えてケーキの重心にトング先端部の掴み部を当てて使用すると三角形で１１センチ、長方形、丸形は２センチから７センチまでの広い範囲の大きさと形状のケーキを軽い力でソフトにしつかり掴めて、１丁のトングで皿等に移す事を特徴とするケーキ用トングである。
【発明の効果】
【０００５】  ケーキを皿等に移す時に倒したり、滑って落としたり、ケーキの形くずれ等がなくなり、トングの掴み部先端の開く幅は、ケーキの最大幅は三角形で１１センチ、長方形、丸形は２センチから７センチまで掴める事と、大きさ、種類、三角形ケーキの角度に関係なく、１丁のケーキ用トングでソフトにしつかり掴む事ができるので、各種のケーキを皿等に簡単に移せる事ができる。
【発明を実施するための最良の形態】
【０００６】  以下、本発明の実施の形態について説明する。（イ）トングの先端部に掴み部（１）を設ける。（ロ）掴み部（１）に突起（２）を設ける。（ハ）掴み部（１）に溝（３）を設ける。（ニ）掴み部（１）にＲ（４）を設ける（ホ）中間に中間部（５）を設ける。（ヘ）後部に取っ手（６）を設ける。（ト）最後部にバネ（７）を設ける。  本発明は、以上の構成になっている。  これを使用するときは、三角形、長方形、丸形等のケーキをトングの取っ手（６）を片手の手指で掴み、掴み部（１）バネ部（７）を使い、各種ケーキ（８）の重心に掴み部（１）を当てて突起（２）と溝（３）Ｒ部（４）を効かしてケーキ（８）をソフトな力で掴み、ケーキ（８）を皿に移す。
【図面の簡単な説明】
【０００７】
【図１】本発明の斜視図】
【図２】本発明の先端部の側面図
【図３】本発明の先端部掴み部、突起、Ｒ部の断面図
【図４】本発明のケーキ用トング使用斜視図
【符号の説明】
【０００８】      １  掴み部      ２  突起      ３  溝      ４  Ｒ部      ５  中間部      ６  取っ手      ７  バネ部      ８  ケーキ
【図１】
2014061247.tif 000003
【図２】
2014061247.tif 000004
【図３】
2014061247.tif 000005
【図４】
2014061247.tif 000006
(57)【要約】      （修正有）【課題】はくタイプのオムツは立ったままはかせるときに片方の足を入れた後に、もう一方の足を入れるが、このとき、足を上げた際にバランスを崩し、転倒する危険性があった。更には、活発な乳幼児では最初に入れた足がオムツから外れてしまう危険性もあった。一方、二つ折りタイプのオムツでは、立ったまま、はくには適していなかった。これらの欠点をなくし、立ったままでもスムーズにはくことを可能とすることである。【解決手段】片側一方をはかせるタイプのオムツ構造として、もう一方を二つ折りのテープで留めるタイプのオムツ構造とする。従って、片方の足を入れた後はもう一方の足を上げずにはくことができるのでバランスを崩して転倒することなく着用が可能となる。【選択図】図２
2014061243.tif 000002
【特許請求の範囲】
【請求項１】
ひとつのオムツの、片方をはくタイプにし、もう片方をテープで留めるようにしたオムツ。
本発明は、以上の構成によりなる。
【発明の詳細な説明】
【技術分野】
【０００１】  この発明は、育児・介護に使用するオムツで、片方はテープで留めて、もう片方ははくタイプのオムツに関するものである。
【背景技術】
【０００２】  従来、はくタイプのオムツと二つ折りのオムツは別々になっていた。
【先行技術文献】
【特許文献】
【０００３】
【特許文献１】
【発明の概要】
【発明が解決しようとする課題】
【０００４】  これは次のような欠点があった。
（イ）      はくタイプのオムツは片方の足を入れ、もう片方の足を入れる時に、転倒        をしやすかった。
（ロ）      活発な子供では、最初に入れた足がオムツから外れてしまう。
（ハ）      二つ折りタイプのオムツは、立ったままはくには適していなかった。
本発明は、以上のような欠点をなくすためになされたものである。
【課題を解決するための手段】
【０００５】  ひとつのオムツの片方をはくタイプにし、もう片方をテープで留めるようにしたオムツ。本発明は、以上の構成よりなる片方はテープで留めるタイプで、もう片方ははくタイプのオムツである。
【発明の効果】
【０００６】  はくタイプの方を先に足に通して腰まであげ、もう片方は同じ腰の位置にテープで留めるため、両足を入れるときの転倒防止になる。
【図面の簡単な説明】
【０００７】
【図１】  本発明のはく方の図である。
【図２】  本発明のテープで留める方の図である。
【発明を実施するための形態】
【０００８】  以下、本発明を実施するための形態について説明する。
片方の足が、入る方をはくオムツにし、もう片方の足が入る方をテープで留めるようにする。
本発明は、以上のような構造である。
これを使用するときは、はく側の方を先に通し、腰まであげもう片方をテープで留めればよい。
【符号の説明】
【０００９】
【図１】
2014061243.tif 000003
【図２】
2014061243.tif 000004
(57)【要約】      （修正有）【課題】薄く自在に曲がる長方形状板をいろいろな形状にカットされた固いまな板に貼り付けて一体化させることで両方の利点を併せ持つまな板を提供する。【解決手段】薄く自在に曲がる長方形状板１からなる板にいろんな形状にカットされた固いまな板２を貼り付けて一体化させることで、固い具材のカットに便利であり又切った具材を鍋やボールに移すときにも便利な薄く自在に曲がる長方形状板と固いまな板の両方の長所を併せ持つ。【選択図】図１
2014061250.tif 000002
【特許請求の範囲】
【請求項１】
薄く自在に曲がる長方形状板（１）をカットされた固いまな板（２）に貼り付けて一体化すると薄く自在に曲がる長方形状板側のみに曲がり又、４辺はまな板を持ち上げやすいように斜めにカット（４）しているのを特徴とするクルクルまな板。尚、カットの形状（２）によりいろいろな方向に曲がり、使用者の使い勝手の良いカットのまな板を選択できる。曲がるので食器洗浄機の隙間に入れやすくなり又、カットの形状によっては洗浄後丸めて立てて自然乾燥する事ができとても清潔にまな板を使用できるよう工夫したことを特徴とするクルクルまな板。
【発明の詳細な説明】
【技術分野】
【０００１】  本発明は、薄く曲がる長方形状板を固いまな板に貼り付けて一体化させた、まな板に関するものである。
【背景技術】
【０００２】  従来、まな板といえば固く曲がらない材質で出来ていた。
尚、曲がる材質で正方形の中に円の目盛りが書いてあるシート状のまな板が知られている。（特許文献１参照）
【先行技術文献】
【特許文献】
【０００３】
【特許文献１】特開２００４−１３６０５８号公報
【発明の開示】
【発明が解決しようとする課題】
【０００４】  そのため次のような問題点があった。
（イ）  固い材質でできていたまな板では切った具材を鍋に移すときに、横からこぼれていた。
（ロ）  薄く曲がる材質は、固い具材をカットする時強い力を加えることが出来なかった。
本発明は以上の問題点を解決するためになされたものである。
【課題を解決するための手段】
【０００５】  上部の薄く自在に曲がる長方形状板（１）を下部のカットされた固いまな板（２）に貼り付けて一体化にさせる。
【発明の効果】
【０００６】  従来、薄く曲がる材質は具材を鍋、又はボールに入れるときは便利であるが固い具材をカットする時強い力を加えることが出来なかった。固いまな板だと力を加えてカットするには便利だが切った具材を鍋に移すときにこぼしていた。本発明により強い力でカットすることもでき又、まな板が内側のみに曲がるため切った具材がまな板から飛び出さず包み込まれるようになるため、こぼさずに具材を鍋、又はボールに入れることが可能になった。又、４辺を斜めにカットしたことでまな板が持ち上げやすくなった。そして下部の固いまな板のカットの形状によっては、洗浄後丸めると立てて自然乾燥する事が出来るため、清潔にまな板を使用できる。又、食器洗浄機に入れやすくなった。
【図面の簡単な説明】
【０００７】
【図１】本発明の真上から見た薄く自在に曲がる長方形状板（１）といろいろな形状にカットされた長方形の固いまな板（２）及び（１）と（２）を貼り付けて一体化したまな板を縦横から見た（３）又、斜めにカットされた２辺の形状図（４）である。
【図２】本発明の（１）と（２）を貼り付けて一体化した縦型カットのまな板の使用状態を示す斜視図である。
【発明を実施するための形態】
【０００８】  以下、本発明の実施の形態を説明する。
（イ）  上部に薄く自在に曲がる長方形状板（１）
下部にいろいろな形状にカットされた固い長方形のまな板（２）
（ロ）  板（１）を板（２）に貼り付けて一体化させたまな板を縦横２方向から見た形状（３）
（ハ）  ４辺を斜めにカットしてある内の２辺（４）。
本発明は、以上のような構造である。
本発明を使用するときは、貼り付けて一体化させたまな板の上で具材をカットし切り終えたらまな板を持ち上げ具材を包み込むようにして鍋又は、ボールに入れることができる。
【符号の説明】
【０００９】１．真上から見た薄く自在に曲がる長方形状板
２．真上から見たいろいろな形状にカットされた固いまな板
３．貼り付けて一体化したまな板を縦横２方向から見た図
４．まな板の４辺は斜めにカットされている
【図１】
2014061250.tif 000003
【図２】
2014061250.tif 000004
(57)【要約】【課題】抱っこ紐に容易に着脱することができ、乳幼児を抱っこ紐で抱っこした際の物の出し入れが容易にできるマザーズバッグを提供する。【解決手段】背面部、前面部、側面部、および底面部によって収納部を形成し、上部開口部を設けたマザーズバッグにおいて、マザーズバッグ本体背面側の上部の右端と左端のそれぞれに、結合手段となるテープ上部とバックル、テープ下部とタングを設け、マザーズバッグ本体前面側の上部開口部分にゴム紐を通し、マザーズバッグ本体側面部にポケットを設け、ポケットの開口部に開口部を開閉するファスナを取り付け、ポケットをマザーズバッグ本体背面内側に縫い付けたことを特徴とする。【選択図】図１
2014061241.tif 000002
【特許請求の範囲】
【請求項１】
背面部、前面部、側面部、および底面部によって収納部を形成し、上部開口部を設けたマザーズバッグにおいて、マザーズバッグ本体背面側の上部の右端と左端のそれぞれに結合手段となる取め具を設け、この結合手段により抱っこ紐とマザーズバッグを着脱可能にしたことを特徴とするマザーズバッグ。
【請求項２】
マザーズバッグ本体背面側の上部の右端と左端のそれぞれに設けた結合手段となる取め具部分に、テープとバックルとタングを設けた請求項１記載のマザーズバッグ。
【請求項３】
マザーズバッグ本体前面側の上部開口部分にゴム紐を通した請求項１記載のマザーズバッグ。
【請求項４】
マザーズバッグ本体側面部にポケットを設け、ポケットの開口部に、開口部を開閉するファスナを取付け、ポケットをマザーズバッグ本体背面内側に縫い付けたことを特徴とする請求項１記載のマザーズバッグ。
【発明の詳細な説明】
【技術分野】
【０００１】  この発明は、マザーズバッグ本体前面側の上部開口部分にゴム紐を通し、マザーズバッグ本体背面側の上部の右端と左端のそれぞれにテープとバックルとタングからなる取め具を設け、マザーズバッグ本体側面部にファスナ付きポケットを設けた取り外しのできるマザーズバッグに関するものである。
【背景技術】
【０００２】  従来、マザーズバッグとは、そのものを単体で携帯しなければならないものであった。
【先行技術文献】
【特許文献】
【０００３】
【特許文献１】特開２００６−０２６１６８
【特許文献２】特開２００２−０００３２７
【発明の概要】
【発明が解決しようとする課題】
【０００４】  しかしながら、以上の技術によれば、抱っこ紐を装着しながらもう一つマザーズバッグを持たなければならず、それにより両手が自由に使えないことから、マザーズバッグを開閉し物の出し入れを行うことが不便であるため、乳幼児を抱っこ紐で抱っこしながらの外出が不便であった。【０００５】  そこで、この発明は、マザーズバッグを抱っこ紐に取り付けることができ、両手が自由に使え、物の出し入れが容易なマザーズバッグを提供することを課題とする。
【課題を解決するための手段】
【０００６】  上記の課題は、請求項１によれば、マザーズバッグ背面側の上部の右端と左端のそれぞれに、結合手段となる取め具を設け、この結合手段により抱っこ紐とマザーズバッグを着脱可能にしたことで解決される。【０００７】  請求項２によれば、マザーズバッグ上部の背面側の右端と左端のそれぞれに設けた結合手段となる取め具部分に、テープとバックルとタングを設けることにより、抱っこ紐との着脱を容易にしたことで解決される。【０００８】  請求項３によれば、マザーズバッグ上部開口部分の前面側にゴム紐を通すことにより、マザーズバッグを開閉することなく物の出し入れを可能にすることで解決される。【０００９】  請求項４によれば、マザーズバッグ本体側面部にファスナ付きポケットを設けることにより、財布やすぐに取り出したい小物を収納することができるようにしたことで解決される。
【発明の効果】
【００１０】  抱っこ紐にマザーズバッグを直接取り付けることができるので、単体でマザーズバッグを携帯しなくても可能となり、両手が自由に使えるようになる。抱っこ紐とマザーズバッグの取り付け部分に、テープとバックルとタングからなる結合手段を設けることにより、抱っこ紐とマザーズバッグの取り外しを容易に行えるようにした。マザーズバッグ本体側面部にファスナ付きポケットを設けたことで、財布や小物をすぐに取り出すことができ、ポケット本体をマザーズバッグ背面内側に縫い付けポケットを固定させることにより、物の出し入れを容易に行えるようにした。マザーズバッグ本体前面側の上部開口部分にゴム紐を通すことにより、中に入れた物は落ちにくく、物の出し入れを容易に行えるようにした。
【図面の簡単な説明】
【００１１】
【図１】この発明を背面から見た斜視図である。
【図２】この発明を前面から見た斜視図である。
【図３】この発明におけるポケットの取付け構造を示した分解斜視図である。
【図４】この発明を抱っこ紐に装着した斜視図である。
【発明を実施するための形態】
【００１２】  以下、本発明を実施するための形態を図１から図４に基づいて説明する。
【００１３】  図において、１のマザーズバッグ本体前面側の上部の開口部分のみにゴム紐２を通し、マザーズバッグ本体側面部１Ｄにファスナ３を取り付け、ポケット４を設け、ポケット４はマザーズバッグ本体背面内側１Ｃに縫い付ける。
【００１４】  マザーズバッグ本体背面側１Ａの上部の右端と左端に、テープ上部５Ａとテープ下部５Ｂをそれぞれ設け、テープ上部５Ａにバックル６Ａを取り付け、テープ下部５Ｂにタング６Ｂを取り付ける。
【００１５】  本発明は以上のような構造で、これを使用するときは、抱っこ紐の肩紐部分にテープ上部５Ａを通し、テープ上部５Ａとテープ下部５Ｂを、バックル６Ａとタング６Ｂで結合させ抱っこ紐に取り付ける。マザーズバッグの中のものを出し入れする時には、上部開口部の前面側のゴム紐２の入った部分をひろげ収納し、財布やすぐに取り出したい小物はファスナ３を取り付けたポケット４に収納する。必要に応じてマザーズバッグは抱っこ紐から取り外し使用する。
【符号の説明】
【００１６】１Ａ  マザーズバッグ本体背面側
１Ｂ  マザーズバッグ本体前面側
１Ｃ  マザーズバッグ本体背面内側
１Ｄ  マザーズバッグ本体側面部
２  ゴム紐
３  ファスナ
４  ポケット
５Ａ  テープ上部
５Ｂ  テープ下部
６Ａ  バックル
６Ｂ  タング
【図１】
2014061241.tif 000003
【図２】
2014061241.tif 000004
【図３】
2014061241.tif 000005
【図４】
2014061241.tif 000006
(57)【要約】      （修正有）【課題】缶詰ポークを安全に切断できる缶詰ポークの切断加工具を提供する。【解決手段】缶詰ポークＰの切断加工具は、ガイド板Ａとスライド板Ｂとより構成し、ガイド板Ａはその一端部に缶詰ポークＰを縦方向に切断する板刀Ｃと、他端部に缶詰ポークＰを上から押さえる押さえバーＤ１、Ｄ２とスライド板Ｂを、スライドバーＨにおいて上方または下方でガイドするガイド溝Ｆとを有し、スライド板ＢはスライドバーＨと押さえた缶詰ポークＰを薄くまたは厚く水平方向に切断する糸状カッターＥを有している。【選択図】図１
2014061246.tif 000002
【特許請求の範囲】
【請求項１】
ガイド板Ａと、スライド板Ｂとより構成し、前記ガイド板Ａはその一端部に缶詰ポークＰを縦方向切断する板刀Ｃと、他端部に缶詰ポークＰを上から押さえる押さえバーＤと、前記スライド板ＢをそのスライドバーＨにおいて上方又は下方へガイドするガイド溝Ｆとを有し、スライド板Ｂは、前記スライドバーＨと押さえた缶詰ポークＰを薄く又は厚く水平方向に切断する糸状カッターＥとを有していることを特徴とする缶詰ポーク切断加工具。
【発明の詳細な説明】
【技術分野】    本発明は、缶詰ポークを板状、長方体、さいの目状に安全に切断する缶詰ポークの切断加工具に関するものである。
【背景技術】    缶詰ポークを板状、長方体、さいの目状に切断する場合従来包丁で切断しているので、指を切るなど怪我をすることがある。又一定の力を加えないと切断困難な面も有り安全とは言えなかった。
【発明の概要】
【発明が解決しようとする課題】    本発明は従来の問題点を解決するためになされたので、缶詰ポークを安全に切断できる缶詰ポークの切断加工具を提供することを課題とする。
【課題を解決しようとするための手段】
本発明が提供する缶詰ポーク切断加工具は、ガイド板Ａとスライド板Ｂとにより構成し、前記ガイド板Ａはその一端部に缶詰ポークＰを縦方向に切断する板刀Ｃと、他端部に缶詰ポークＰを上から押さえる押さえバーＤ、前記スライド板ＢをそのスライドバーＨにおいて上方または下方へガイドするガイド溝Ｆとを有し、スライド板Ｂは前記スライドバーＨと押さえた缶詰ポークＰを薄く又は厚く水平方向に切断する糸状カッターＥとを有していることを特徴とするものである。
【発明の効果】
料理のメニューに合った切断も可能になり、従来の包丁使用でのカット作業よりも安全で危険の除去にもなり、カット作業の時間も短縮になる。又子供、年輩者でも楽に安全で切断作業が可能になる。
【発明を実施するための形態】
以下本発明の缶詰ポーク切断加工具を図面によって説明する。
【切断加工具の構成】
図１，２，３，４，５においてガイド板Ａの一端部に、縦方向に切断する板刀Ｃと、他端部に缶詰ポークＰを上から押さえる押さえバーＤ１とＤ２と上方または下方へガイドするガイド溝Ｆ１とＦ２の構成となる。
スライド板Ｂの張設した水平方向に切断する糸状カッターＥと、缶詰ポークＰを押さえるスライドバーＨの構成となる。図４のスライド板Ｂの動作図Ｆ１の溝はＧ１の肉厚Ｆ２の溝はＧ２の肉厚となる上方または下方へ可変可能な構成となる。
またガイド板Ａの内側幅Ｋは多数の缶詰ポーク商品のサイズに対応できる幅となっている。
図面缶詰ポークＰの部分は１点斜線のハンチングで表示されている。
【切断加工具の使い方】
スライド板Ｂの糸状カッターＥで、水平方向動作による板状スライスに切断する場合、図４の動作を示す側面図Ｆ１の溝は肉厚Ｇ１の厚さ、Ｆ２の溝は肉厚Ｇ２の厚さとなり、どちらか選択する。
図１，２，３，のように缶詰ポークＰの上部に本体を設置し糸状カッターＥと押さえバーＤ１、Ｄ２とスライドバーＨで缶詰ポークＰを押さえ、肉厚を保ちながら水平方向動作で板状スライスに切断する。
又缶詰ポークＰの載置台Ｓは例えば、まな板のようなものを使用する。
ガイド板Ａの板刀Ｃで縦方向動作による板状スライスに切断する場合、図５のように缶詰ポークの上部に板刀Ｃを設置し、肉厚は自由な厚さで縦方向動作で板状スライスに切断する。又切断した板状スライスをさらに小さく切断する場合も板刀Ｃを使い、縦方向動作で長方体、さいの目状に切断することができる。
【図面の簡単な説明】
【図１】缶詰ポークＰの切断加工具平面図
【図２】缶詰ポークＰの切断加工具図１の側面図
【図３】缶詰ポークＰの切断加工具正面図
【図４】缶詰ポークＰの切断加工具動作を示す図１の側面図
【図５】缶詰ポークＰの切断加工具側面図
【図１】
2014061246.tif 000003
【図２】
2014061246.tif 000004
【図３】
2014061246.tif 000005
【図４】
2014061246.tif 000006
【図５】
2014061246.tif 000007
(57)【要約】【課題】  脱落を何度も繰り返すため手指が密着し、蒸れや、じょく瘡になったり、また、自身で外してしまうこともあり、爪で手のひらを傷つけてしまうこともあり予防が困難であった。本発明は脱落を防ぐための手指保護具を提供する。【解決手段】  手握部と指間ベルト１／３にクッション材を内包し、リストバンド部左右対に設けた面ファスナーを組み合わせて輪状態を形成し、放射状に設けた指間ベルトをそれぞれ指の間から用いて、リストバンド甲の面ファスナーあるいはボタンに留めて固定する、リストバンドと手握部と指間ベルト、以上の構成からなる手指保護具。【選択図】図１
2014061245.tif 000002
【特許請求の範囲】
【請求項１】
手握部と指間ベルトにクッション材を内包し、リストバンド部左右対に設けた係合部を組み合わせて輪状態を形成し、放射状に設けた指間ベルトをそれぞれ指の間から用いて、リストバンド甲の面ファスナーあるいはボタンに留めて固定する、リストバンドと手握部と指間ベルト、以上の構成からなる手指保護具。
【請求項２】
手握部上側周縁に指間ベルトを放射状に設け、手握部下部にリストバンドを設けた手指保護具であり、クッション材を手指部から指間ベルトに移動自在に内包し、
指間ベルト先端に第１係止部を設け、
その第１係止部と係止しうる第１付止部をリストバンド部に設けたことを特徴とする。
【請求項３】
クッション材を指間ベルトの１／３まで内包したことを特徴とする請求項１記載の手指保護具。
【発明の詳細な説明】
【技術分野】
【０００１】  本発明は、拘縮した手指の密着や蒸れを予防し、脱落を防ぐことができる手指保護具に関するものである。
【背景技術】
【０００２】従来のものは装着後、脱落頻度が高く、また、患者さん自身で外してしまうこともあり維持するのが難しく、手指の密着や蒸れを予防することができなかった。
【先行技術文献】
【特許文献】
【０００３】
【特許文献１】実登３０８６７１６公報
【特許文献２】実登３０９５８１７公報
【特許文献３】実登３０９２７１０公報
【特許文献４】特開２００２−１４３１９８公報
【発明の概要】
【発明が解決しようとする課題】
【０００４】そのために、次のような問題点があった。
脱落を何度も繰り返すため手指が密着し、蒸れや、じょく瘡になったり、また、自身で外してしまうこともあり、爪で手のひらを傷つけてしまうこともあり予防することが困難であった。
本発明はこれらの問題点を解決しようとするものである。
【課題を解決するための手段】
【０００５】手握部と指間ベルト１／３にクッション材を内包し、リストバンド部左右対に設けた面ファスナーを組み合わせて輪状態を形成し、放射状に設けた指間ベルトをそれぞれ指の間から用いて、リストバンド甲の面ファスナーあるいはボタンに留めて固定する、リストバンドと手握部と指間ベルト、以上の構成からなる手指保護具。
【発明の効果】
【０００６】従来の保護具は手握部の固定が不十分なため外れてしまい、蒸れやじょく瘡が生じ適切でなかった。
本発明により手握部をリストバンドで固定し、尚且つ、放射状に設けられた指間ベルト上部の係止部とリストバンド部甲に設けた付止部に留めて固定するので、問題点を解決することができる。
【図面の簡単な説明】
【０００７】
【図１】本発明の正面図である。
【図２】本発明のＡ−Ａ断面図である。
【図３】本発明の係止部をボタンにした図である。
【図４】本発明の係止部を面ファスナーにした図である。
【図５】本発明の使用図である。
【発明を実施するための形態】
【０００８】以下、本発明の実施の形態を説明する。
（イ）手握部（６）はクッション材を内包している。
（ロ）手握部（６）上側周縁付近には放射状に指間ベルト（７）が設けられている。
（ハ）指間ベルト（７）にもクッション材が内包されており、クッション材は手握部（６）から指間ベルト（７）へと移動自在となっている。また、指間ベルト（７）のクッション材は指間ベルト（７）全体に充填しても良いが、指間ベルト（７）の少なくとも１／３までクッション材を充填することで、効果を発揮できる。ここでいうクッション材とは、発泡ビーズや球形のスポンジなどを示す。その大きさは直径１〜５ｍｍ程度が好ましく、直径２〜３ｍｍであることが最も好ましい。
（ニ）指間ベルト（７）の先端には第１の係止部（２）をそれぞれ設ける。
（ホ）手握部（６）下部付近には左右に延伸するリストバンド（３ａ）リストバンド（３ｂ）を設ける。
（ヘ）このリストバンド（１ａ）とリストバンド（１ｂ）は面積が異なっている。このリストバンド（１ａ）はリストバンド（１ｂ）に対して表面積が大きい。これはリストバンド（１ｂ）には指間ベルト（７）先端に設けられた第１係止部（２）と係止しあうための第１付止部（３）を設けるためと、装着性を考えている。
（ト）このリストバンド（１ａ）の表面、つまり装着時手に触れる面と反対側に、第２の係止部（４）を設け、リストバンド（１ｂ）の裏面、つまり、装着時手に触れる面に、前記第２の係止部（４）と係合しする第２の付止部（５）を設ける。ここで示す係止部は面ファスナーが最適だと考えられる。
（チ）自身で取り外してしまう人のためには第１係止部（２）に穴を開け、第１付止部（３）にボタンを装着することが望ましい。
本発明は以上のような構造である。
本発明を使用するときは、第２係止部（４）が表に見えるようにして手握部（６）を手の平にのせ、指間ベルト（７）をそれぞれ手の間を通して手の甲に誘導する。リストバンド（１ａ）に設けた第２係止部（４）とリストバンド（１ｂ）に設けた第２付止部（５）と手首を囲んで係合する。手の甲に誘導した指間ベルト（７）の第１係止部（２）を第１付止部にそれぞれ留めて装着する。また、自身で取り外してしまう人のためには、指間ベルト（７）の第１係止部（２）に穴を設けリストバンド（１ｂ）の第１付止部にボタンを取り付けることにより脱落を防ぐことができる。尚且つ手握部（６）と指間ベルト（７）の１／３に発泡ビーズを内包したことで圧力が軽減され、指の大きさに左右されることなく手指の密着も解決され、安心して使用することができる。
【符号の説明】
【０００９】１００・  本体
１  リストバンドａ、リストバンドｂ
２  第１係止部
３  第１付止部
４  第２係止部
５  第２付止部
６  手握部
７  指間ベルト
【図１】
2014061245.tif 000003
【図２】
2014061245.tif 000004
【図３】
2014061245.tif 000005
【図４】
2014061245.tif 000006
【図５】
2014061245.tif 000007